(57)【要約】      （修正有）【課題】障害者において簡単にラップフィルムを切断できるラップフィルム切断具を提供する。【解決手段】重量の重い基板上に基板した支持筒１と、支持筒１内に着脱自在に収納したロール状のラップフィルム１２と、支持筒１の両端開口部分覆うキャップ３、３ａと、支持筒１の周側面に設けた長口１６と、支持筒１に回動自在に装着し、前記長口１６から引き出されたラップフィルム１２を切り離す切断刃５と、支持筒１の外周面に設けラップフィルム１２の先端部分を少し浮かすための板バネ９と、ラップフィルム１２の先端部分を支持筒１の外周面に着脱自在に粘着させるゴム状を粘着部８と、から構成したことを特徴とする。【選択図】図３
0003131712.tif 000002
【実用新案登録請求の範囲】
【請求項１】
重量の重い基板２と、基板２上に装着し、ロール状のラップフィルム１２を着脱自在に収納する支持筒１と、支持筒１の両端開口部分を覆うキャップ３、３ａと、キャップ３、３ａの内側に設け、ラップフィルム１２の端面を弾力的に保持する保持具４、６と、支持筒１の周側面に軸方向に向って設けた、長口１６と、支持筒１の軸方向の両端部分に回動自在に装着した一対のアーム１７、１５と、一対のアーム１７、１５の間に固定され、前記長口１６から引き出されたラップフィルム１２を切り離す鋸歯状の切断刃５と支持筒１の外周面に設けラップフィルム１２の先端部分を少し浮かす為の板バネ９と、長口１６の下端縁部分を支持筒１の外周面に着脱自在に粘着させるゴム状を粘着部８と、から構成されアーム１７、１５に設けた取っ手７を介してアーム１７、１５を回動操作することのより切断刃５がラップフィルム１２を切断する切断位置を回動されることを特徴とする、ラップフィルム切断具。
【考案の詳細な説明】
【技術分野】
【０００１】  本考案、ロール状のラップフィルムを食品や食器類を覆うように適当の長さに切断するラップフィルム切断具に関する。
【背景技術】
【０００２】  従来から知られてるラップフィルムの切断方法は、紙容器内に収納されているロール状のラップフィルムを引き出し、この容器に取り付けてある鋸歯状切断刃にて切断している
【考案の開始】
【考案が解決しようとする課題】
【０００３】  上記した従来の方法は、紙容器が軽いので、必ず両手を使わなければ切断できなかった。片手が不自由な障害者や高齢者あるいは子供等はなかなかうまく切断できずそのため所望する長さのラップフィルムを得ることはできなかった。
【０００４】  本考案は、この様な課題を解決し健常者はもちろんのこと障害者においても簡単にラップフィルムを切断できるよう工夫したラップフィルム切断具を提供することを目的とする
【課題を解決するための手段】
【０００５】  本考案のラップフィルム切断具は、重量の重い基板２と、基板２上に装着し、ロール状のラップフィルム１２を着脱自在に収納する支持筒１と、支持筒１の両端開口部分を覆うキャップ３、３ａと、キャップ３、３ａの内側に設けラップフィルム１２の端面を弾力的に保持する保持具４、６と、支持筒１の周側面に軸方向に向って設けた、長口１６と支持筒１の軸方向の両端部分に回動自在に装着した一対のアーム１７、１５と、一対のアーム１７１５の間に固定され、前記長口１６から引き出されたラップフィルム１２を切り離す鋸歯状の切断刃５と支持筒１の外周面に設け、ラップフィルム１２の先端部分を少し浮かす為の板バネ９と、長口１６の下端縁部分を支持筒１の外周面に着脱自在に粘着させるゴム状を粘着部８と、から構成されアーム１７、１５に設けた取っ手７を介してアーム１７、１５を回動操作することにより切断刃５がラップフィルム１２を切断する切断位置を回動されることを特徴とする、ラップフィルム切断具。
【考案の効果】
【０００６】  本考案は、アームに設けた取っ手を介してアームを回動操作して切断刃をラップフィルムの切断位置に回動し、その後ラップフィルムを片手で持って切断刃の一方端から他方端に引っ張るとラップフィルムは切断刃によって切断される。
【０００７】  本考案は、ロール状のラップフィルムを収納する支持筒を、重量の重い基板上に固定しているので、前述したような切断時、ラップフィルムに加わる力が、すべて切断する力として作用するので確実にラップフィルムが切断できる。
【０００８】  すなわち、従来のように紙容器に収納した状態のラップフィルムを切断する際、一方の手で紙容器をしっかりとに杷持しておき、もう一方の手でラップフィルムを切断しなければならず、そのため片手しか使えない障害者にはとってもラップフィルムを切断することができなかったが、本考案のような切断具であれば片手でラップフィルムを所望の長さに切断することができる。
【０００９】  また本考案は、以上のように、片手ラップフィルム支持筒本体から、ラップフィルムが簡単に引き出され、使い易く体が不自由な障害者、又は、高齢者の方にも気軽に食材を調理したあと、ラップフィルムが包装ができ普通の人同様にできる、これからの高齢者社会には絶対必要なものである。
【考案を実施するための最良の形態】
【００１０】  以下、図面を参照しつつ本発明を具体的に説明する。
図１は、係るラップフィルム切断具の正面立面図、図２は、図１のＡ−Ａ示した断面図を示す。【００１１】  図３は、斜視図を示す図で、ラップフィルム切断具は、重量の重い基板２と、基板２上に装着し、ロル状のラップフィルム１２を着脱自在に収納する支持筒１と、支持筒１の両端開口部分を覆うキャップ３、３ａと、キャップ３、３ａの内側に設けラップフィルム１２の端面を弾力的に保持する保持具４，６と、支持筒１の周画面に軸方向に向って設けた、長口１６、支持筒１の軸方向の両端部分に回動自在に装着した一体のアーム１７、１５と、一対のアーム１７，１５の間に固定され、前記長口１６から引き出された、ラップフィルム１２を切り離す金属製横長の鋸歯状の切断刃５と支持筒１の外周面に設け、ラップフィルム１２の先端部分を少し浮かすための、板バネ９と長口１６の下端縁部分を支持筒１の外周面に着脱自在に粘着させるゴム状を粘着部８と、から構成されアーム１７、１５に設けた取っ手７を介してアーム１７、１５を回動操作することにより切断刃５がラップフィルム１２を引き出して切断する状態を示す斜視図である。【００１２】  図４は、図３と、違って壁面に支持筒本体を収納出来るように設けている。
まず、ラップフィルム１２を着脱自在に収納する支持筒１と支持筒１の両端開口部分を覆うキャップ３、３ａとキャップ３，３ａの内側に設けラップフィルム１２の端面を弾力的に保持する保持具４，６と支持筒１の周側面に軸方向に向って設けた、長口１６と、支持筒１の軸方向の両端部分に回動自在に装着した一対のアーム１７，１５と、一対のアーム１７，１５の間に固定され、前記長口１６から引き出されたラップフィルム１２を切り離す鋸歯状の切断刃５と支持筒１外周面に設け、ラップフィルム１２の先端部分を少し浮かす為に板バネ９と長口１６の下端縁部分を支持筒１の外周面に着脱自在に粘着させるゴム状を粘着部８とから構成されてアーム１７、１５に取っ手７を持ち上げてラップフィルム１２を前記長口１６から引き出されて、支持筒の上部アーム１７，１５の取っ手７を回動操作しその後ラップフィルムを片手で持って切断刃に一方端から他方端に引っ張るとラップフィルムは切断刃に固定されて切断される。【００１３】  そこで、ラップフィルム切断具は体の不自由な片手しか使えない人が食材、食器などに簡単に包装でき、テーブル上での作業でなく、壁面で切断し同様に作業が目的である。
【図面の簡単な説明】
【００１４】
【図１】  本考案のラップフィルム切断具正面図を示す図。
【図２】  本、    図１のＡ−Ａ示した断面図。
【図３】  本、    ラップフィルム切断機斜視図。
【図４】  本、    壁側に取付けて逆さにした断面図。
【図５】  本、    支持筒（左・右ａ）キャップとスプリングバネ斜視図。
【図６】  本、    支持筒開口外周面アーム部材斜視図。
【図７】  本、    壁側に設ける収納正面図を示す図
【符号の説明】
【００１５】  １  支持筒本体
２  平板
３  支持筒左キャップ
３ａ  支持筒右キャップ
４  左右座金物
５  金属製横長鋸歯
６  スプリングバネ
７  アーム上下運動取っ手
８  支持筒開口外周面戻り防止
９  支持筒開口外周面ラップフィルム浮かし板バネ
１０  支持筒左右アーム丁番
１１  キャップ取っ手
１２  ラップフィルム
１３  ゴム製脚
１４  支持筒本体壁側収納
１５  アーム（金属製横長接続部）
１６  開口
１７  アーム腕木
【図１】
0003131712.tif 000003
【図２】
0003131712.tif 000004
【図３】
0003131712.tif 000005
【図４】
0003131712.tif 000006
【図５】
0003131712.tif 000007
【図６】
0003131712.tif 000008
【図７】
0003131712.tif 000009
【手続補正書】
【提出日】平成18年9月17日(2006.9.17)
【手続補正２】
【補正対象書類名】明細書
【補正対象項目名】００１４
【補正方法】変更
【補正の内容】
【００１４】
【図１】  本考案のラップフイルム切断具正面図を示す図。
【図２】  図１のＡ−Ａ示した断面図。
【図３】  ラップフイルム切断機斜視図。
【図４】  壁側に取付けて逆さにした断面図。
【図５】  支持筒（左・右ａ）キャップとスプリングバネ斜視図。
【図６】  支持筒開口外周面アーム部材斜視図。
【図７】  壁側に設ける収納正面図を示す図。